(57)【要約】【課題】可撓型シート状表装材と目地部材とによる壁面の表面仕上げ方法で、簡単に壁面側に接着材を塗ることができ、効率的に仕上げ作業を行うことが可能で、可撓型シート状表装材の貼り付け後の付着も十分である壁面の仕上げ方法を提供することにある。【解決手段】化粧材部を有する可撓型シート状表装材と一定幅を持つ長尺の目地部材による壁面の表面仕上げ方法において、その目地部材は長手方向の両側に離型紙により覆われた粘着部を有するものであり、可撓型シート状表装材の端部が目地部材の中心付近になるように壁面に目地部材を貼付け、目地部材に囲まれた範囲に接着材を塗布する目地部材の離型紙を剥がしながら、可撓型シート状表装材を貼り付けることである。【選択図】  図４
2019060179.tif 000002
【特許請求の範囲】
【請求項１】
化粧材部を有する可撓型シート状表装材と、一定幅を持つ長尺の目地部材と、による壁面の表面仕上げ方法において、
その目地部材の長手方向の両側に離型紙により覆われた粘着部を有するものであり、
可撓型シート状表装材の端部が目地部材の中心付近になるように壁面に目地部材を貼付ける
目地部材に囲まれた範囲に接着材を塗布する
目地部材の離型紙を剥がしながら、可撓型シート状表装材を貼り付ける
壁面の仕上げ方法。
【請求項２】
請求項１に記載の壁面仕上げ方法であって、
目地部材の長手方向の両側に離型紙により覆われた粘着部が３〜１５ｍｍの範囲で間隔を設け、
隣り合う可撓型シート状表装材間に３〜１５ｍｍの範囲で空間を設け、目地部材を露出させる壁面仕上げ方法。
【請求項３】
請求項１又は請求項２に記載の壁面仕上げ方法であって、
前記露出した部分にシーリング材を打設する壁面仕上げ方法。
【請求項４】
請求項１〜請求項３のいずれかに記載の壁面仕上げ方法であって、
可撓型シート状表装材裏面の四辺に粘着加工部が有り、離型紙により保護され、その離型紙を剥がしながらその表装材を貼り付ける壁面仕上げ方法。
【発明の詳細な説明】
【技術分野】
【０００１】
本開示は、建物などの構造物の内外壁面などの壁面仕上げ方法に関するもので、その利用分野は建築分野である。
【背景技術】
【０００２】
従来、このような可撓型シート状表装材の仕上げ方法には、特開平０５−２０９４５３号公報において、表側から見た時に化粧材部，基材部，粘着材部，離型紙部からなる可撓性を有する表装材と表側から見た時に基材部，粘着材部，離型紙部からなるロール状や帯状の目地部材とを用い、目地部材を表装材の大きさと目地間隔を計算の上、先に貼り、次に可撓型シート状表装材を所定の位置に離型紙を剥がしながら粘着材により、接着させるものが記載されている。
【０００３】
これにより、可撓型シート状表装材と目地部材を用意し、目地部材を目地形成位置に先貼りし、可撓型シート状表装材を所望の目地間隔を設けながら容易に仕上げることができるものである。
【先行技術文献】
【特許文献】
【０００４】
【特許文献１】特開平０５−２０９４５３号公報
【発明の概要】
【発明が解決しようとする課題】
【０００５】
このような方法による壁面の仕上げ方法では、目地部材を貼った後にはどの部分からでも可撓型シート状表装材を貼ることができ効率的に仕上げ作業を行うことができる。
しかし、このような可撓型シート状表装材を貼る場合では、一般的に接着材の塗りやすさから壁面側に塗ることが多い。
【０００６】
そのため、接着材を壁面に塗付し、この表装材を貼る場合に目地部材の部分、特に、この表装材の粘着材により接着する箇所に接着材が着くことがある。
このように粘着材により接着する部分に接着材が着いてしまうと粘着剤による接着が不十分なことがある。そのため、接着材が着かないように養生などを行う必要が生じる。
【０００７】
また、目地部材を避けて接着材を塗ることも可能だが、目地部材の周辺への接着材の塗布が不十分になり、その部分の接着が不十分な場合もある。又、作業の効率を阻害することにもなる。
接着材を可撓型シート状表装材に塗布することも可能だが、このシートが柔らかいため接着材塗布後の表装材の取り扱いが難しくなり、周囲を汚したりすることもある。
【０００８】
本開示は、可撓型シート状表装材と目地部材とによる壁面の表面仕上げ方法で、その目地部材の長手方向の両側に離型紙により覆われた粘着部を有し、表装材の端部が目地部材の中心付近になるように壁面に目地部材を貼付け、目地部材に囲まれた範囲に接着材を塗布し、目地部材の離型紙を剥がしながら、その表装材を貼り付けることで、簡単に壁面側に接着材を塗ることができ、効率的に仕上げ作業を行うことが可能で、可撓型シート状表装材の貼り付け後の付着も十分である壁面の仕上げ方法を提供することにある。
【課題を解決するための手段】
【０００９】
化粧材部を有する可撓型シート状表装材と一定幅を持つ長尺の目地部材による壁面の表面仕上げ方法において、その目地部材は長手方向の両側に離型紙により覆われた粘着部を有するものであり、可撓型シート状表装材の端部が目地部材の中心付近になるように壁面に目地部材を貼付け、目地部材に囲まれた範囲に接着材を塗布する目地部材の離型紙を剥がしながら、可撓型シート状表装材を貼り付けることである。
【００１０】
これにより、簡単に壁面側に接着材を塗ることができ、効率的に仕上げ作業を行うことが可能で、可撓型シート状表装材の貼り付け後の付着も十分なものである。
【００１１】
目地部材の長手方向の両側に離型紙により覆われた粘着部が３〜１５ｍｍの範囲で間隔を設け、隣り合う可撓型シート状表装材間に３〜１５ｍｍの範囲で空間を設け、目地部材を露出させることにより、意匠的に優れたものになる。
【００１２】
前記露出した部分にシーリング材を打設することにより、仕上げ後の壁面の防水性性能をより向上させることができる。
【００１３】
可撓型シート状表装材裏面の四辺に粘着加工部が有り、離型紙により保護され、その離型紙を剥がしながらその表装材を貼り付けることにより、その表装材端部の付着がより確実になる。
【図面の簡単な説明】
【００１４】
【図１】可撓型シート状表装材の一例の断面図を示す。
【図２】目地部材の一例を示す。
【図３】目地部材を貼り付けた状態の一例を示す。
【図４】貼り付けの工程の一例を示す。
【発明を実施するための形態】
【００１５】
本開示の実施形態を説明する。
まず、この表装材の一例を図１に示す。化粧材部を有する可撓型シート状表装材１１とは、建築構造物の内外壁面の仕上げに使用され、長方形や正方形などの四角形のものである。
【００１６】
この可撓型シート状表装材１１は、表面側に化粧材部１２があり、裏面側には、その化粧材部１２を支持するための基材部１３がある。
この化粧材部１２は、仕上げられた壁面の意匠を表現するもので、基材部１３に塗装などを行い得ることができる。又、可撓性のある部材を基材部１３に貼り付けるなどにより得ることもできる。
【００１７】
この塗装には、一般的な塗料を使うことができるが、乾燥後の塗膜に可撓性はある必要がある。好ましくは、天然石やその砕石，着色骨材，着色プラスチック粒，プラスチック砕粒などを、合成樹脂エマルションや溶剤型合成樹脂と混合させた着色骨材含有塗材を用いることである。
【００１８】
この着色骨材含有塗材を用いたことにより、可撓型シート状表装材１１の意匠が向上し、それを用いて仕上げられた壁面の意匠感も向上する。
基材部１３は、化粧部材１２を支持するものであるが、可撓型シート状表装材１１を壁面に粘着材や接着材により貼り付ける場合の粘着材や接着材の吸い込み調整などの効果もある。
【００１９】
また、可撓型シート状表装材１１全体の引張り，曲げ，引き裂き強度の向上のための基材部１３が重要な要素となる。
基材部１３は、織布，不織布，ガラスクロス，セラミックペーパー，合成紙などやこれらを目処め処理したものなど比較的薄いものやプラスチック製や金属製の板状ものやポリマーセメントモルタルをシート状に成型したものなどもある。
【００２０】
これらにより可撓型シート状表装材１１は、基材部１３に化粧材部１２となる塗料などを塗布し、乾燥硬化させ、積層複合化することにより得ることができる。
この可撓型シート状表装材１１は、その壁面への貼り付け作業性や意匠的な１２００×１２００ｍｍ以下の大きさが好ましく、その重量は、ｍ２当たり１〜１０Ｋｇの範囲が好ましい。
【００２１】
このｍ２当たりの重量であれば、可撓型シート状表装材１１もボリューム感のある意匠となり、ずれることなく接着することができるものである。
この可撓型シート状表装材１１は、可撓性を有するものであり、この可撓性としては、直径６０ｃｍの円筒に沿って表装材を曲げ、その時に表装材の表面にクラックや割れなどの発生がないかにより判断し、異常がないものとする。
【００２２】
この可撓型シート状表装材１１の厚みは、２〜１５ｍｍの範囲のものが好ましく、その大きさは、３００〜９００ｍｍの範囲のものがより好ましい。この範囲内であれば、その取扱いや施工性、仕上がった壁面の意匠性など良いものとなる。
好ましい形態として、可撓型シート状表装材１１の裏面の四辺に粘着加工部１４が有り、その粘着加工部１４が離型紙１５により保護されているものである。
【００２３】
このような形態にすることで、その離型紙１５を剥がしながら、可撓型シート状表装材１１を貼り付けることで、後述する目地部材の粘着部と貼り付くことができ、より強固に瞬間的に可撓型シート状表装材１１の四周を壁面に固定することができる。
さらに、接着材が硬化乾燥するまでの間に可撓型シート状表装材１１がずれることが無く、確実に接着することができる。
【００２４】
この粘着加工部１４の幅は、５〜３０ｍｍの範囲であることが好ましく、この範囲内であれば、可撓型シート状表装材１１の端部を十分に接着できるものである。その粘着加工部１４の粘着材は、特に制限されるものではなく、公知のものを用いることができる。
その入手の容易性などにより、アクリルゴム系あるいは非加硫ブチルゴム系のものが特に良く、他にもシリコーンゴム系，スチレンブタジエンゴム系，ポリイソプレン系，ポリビニルエーテル系などが利用できる。
【００２５】
また、離型紙１５は、通常粘着テープ，ラベル等に用いられる公知材料である、紙にフッ素樹脂，シリコーン樹脂を塗布したものを利用することができる。
粘着加工部１４と離型紙１５とが一体となったテープ類などを用いることが、その加工において簡単になることから好ましく用いられる。
【００２６】
このテープ類には、両面テープがあり、粘着加工部１４と離型紙１５とが一体となったものをもう片側に粘着材を利用して、可撓型シート状表装材１１の裏面の基材部１３の四辺に貼ることで、容易に加工することができる。
両面テープを使用する以外には、一定幅で粘着材を塗布し、粘着加工部１４を形成させたのちに離型紙１５で、その粘着加工部１４を覆い保護するなどの方法により得ることができる。
【００２７】
つぎに、目地部材の一例を図２に示す。目地部材２１とは、２０〜１００ｍｍ程度の一定幅を持つロール状又は帯状の長尺のものであって、その長手方向の両側に離型紙２４により覆われた粘着部２３を有するものである。
この目地部材２１のベース部２２は、織布，不織布，ガラスクロス，セラミックペーパー，合成紙などやこれらを目処め処理したものなど比較的薄い１ｍｍ以下のものが好ましく用いられる。
【００２８】
１ｍｍ以上の場合では、目地部材２１を貼った部分と貼ってない部分の段差ができ、その段差の上に可撓型シート状表装材１１を貼っても隠し切れない場合もあり、仕上がった壁面に影響が出ることがある。
より好ましくは、０．５ｍｍ以下であり、その場合では、可撓型シート状表装材１１の厚みやその柔らかさなどの可撓性により段差を目立たなくすることができる。
【００２９】
この粘着部２３の幅は、５〜３０ｍｍの範囲であることが好ましく、この範囲内であれば、可撓型シート状表装材１１の端部を十分に接着できるものであり、その粘着部２３の粘着材は、特に制限されるものではなく、公知のものを用いることができるが、その入手の容易性などにより、アクリルゴム系あるいは非加硫ブチルゴム系のものが特に良く、他にもシリコーンゴム系，スチレンブタジエンゴム系，ポリイソプレン系，ポリビニルエーテル系などが利用できる。
【００３０】
離型紙２４は、通常粘着テープ，ラベル等に用いられる公知材料である、紙にフッ素樹脂，シリコーン樹脂を塗布したものを利用することができる。
粘着部２３と離型紙２４とが一体となったテープ類などを用いることが、その加工において簡単になることから好ましく用いられる。
【００３１】
このテープ類には、前記記載の両面テープがあり、粘着部２３と離型紙２４とが一体となったものをもう片側に粘着材を利用して、ベース部２２の長手方向の両側に貼ることで、加工することができる。
両面テープを使用する以外には、一定幅で粘着材を塗布し、粘着部２３を形成させたのちに離型紙２４で、その粘着部２３を覆い保護するなどの方法がある。
【００３２】
この目地部材２１の長手方向の両側にある粘着部２３は、一定の間隔を設けることなく配置することも可能であるが、３〜１５ｍｍの範囲で間隔を設けることも可能であり、その場合、目地部材２１の長手方向の両側に離型紙により覆われた粘着部が３〜１５ｍｍの範囲で間隔を設けたものを好ましく使用する。
この目地部材２１を用いることで、簡単に一定の間隔を空けることができる。
【００３３】
一定の間隔を空けた場合の目地部材２１を用いた場合では、それにより仕上げられた壁面に、その間隔分の目地部材２１が露出したことになり、その露出部が目地としての意匠を表現したものとなる。
また、目地部材２１に機能を持たせ、その機能を露出部から発揮させることも可能である。
【００３４】
この機能には、防水性や透湿性などがある。このような機能を付加させるために、その機能を持った塗料などを目処め処理材として用いることになる。
この機能の一例としては、透湿性のある塗膜を形成する塗料を目処め処理材として使用し、露出した部分に透湿性能を持たせる。これにより、壁体内で発生する結露水を外部に放出することができる。
【００３５】
前記可撓型シート状表装材１１と目地部材２１を用い、対象となる壁面を仕上げる。
まず、対象となる壁面に下地調整やプライマー処理のような前処理を必要に応じ行う。この下地調整やプライマー処理等の前処理は、対象となる壁面の平滑性を上げ、仕上がりをより良くすることや可撓型シート状表装材１１や目地部材２１の密着性を向上させるためのものである。
【００３６】
次に、壁面の仕上がりを想定し、可撓型シート状表装材１１の貼り付け位置などの割り付けを決定し、そこから目地部材２１を貼り付ける位置を壁面に印を付ける。
この割り付けは、可撓型シート状表装材１１の大きさにより変わるが、対象となる壁面にバランス良く均一に配置されるように決定する。
【００３７】
決定された割り付けに従い可撓型シート状表装材１１の四周が目地部材２１の粘着部２３を覆うことができる位置になるように目地部材２１を貼り付ける位置に印を付け、貼り付ける。目地部材２１を貼り付けた状態の一例を図３に示す。
この図３に示したものでは、横方向に貼る目地部材２１を先に貼り、その後に縦方向の目地部材２１を貼ったものである。この貼り方については、特に制限されるものではなく、割り付け，作業効率などより選択することになる。
【００３８】
目地部材２１の貼り付けには、接着材や粘着材を用い貼り付けることが多く、これらは、特に制限されるものではないが、合成ゴム系，酢酸ビニル系，ポリマーセメント系，アクリルゴム系，変性シリコン系など各種の接着材，粘着材が使用できる。
また、これらの形態としては、溶媒に有機溶剤を用いた溶剤型のものや水を用いた水系型のものやそれらを用いない無溶剤型のものがあり、作業環境の問題より水系型や無溶剤型のものが好ましく使用される。
【００３９】
この接着材は、ヘラ，コテや塗装などに用いられる塗装用のローラーなどにより塗布することが多く、目地部材２１を貼り付けたい部分に塗布を行う。このような器具を使うことで、効率的に作業を行うことができる。
接着材を塗布した後に、目地部材２１を貼り付ける。接着材は、目地部材２１を確実に接着するため、その幅より少し広めに塗布することが多い。
【００４０】
目地部材２１よりはみ出した接着材は、段差が残らないように取り除くことが好ましい。ここで使用する接着材が残り、段差がある状態で、この後に可撓型シート状表装材１１を貼り付けると、その段差を隠し切れないこともある。
このように目地部材２１を貼り付けると離型紙２４に囲まれた空間３１ができる。この空間３１は、壁面の下地が露出している部分になる。この部分に接着材を塗布し、可撓型シート状表装材１１を貼り付けることになる。貼り付けの工程の一例を図４に示す。この図４の工程は、対象となる壁面４１に対して行うものである。
【００４１】
この接着材４２は、目地部材２１を貼り付けに用いられた接着材を用いることができ、又同様な器具を用い塗布することができる。
この空間３１に接着材４２を塗布する場合、周囲が離型紙により保護されているため、少々はみ出しても影響がないので空間３１全体に斑なく確実に隅々まで塗布することができる。
【００４２】
このように接着材４２を規定量の範囲内に塗布し、可撓型シート状表装材１１を貼り付ける。可撓型シート状表装材１１を貼り付ける場合、目地部材２１にある離型紙２４を剥がし、粘着部２３を露出させ、可撓型シート状表装材１１の四周を接着し、その他の部分は、接着材により接着する。
可撓型シート状表装材１１の四周を粘着材２３により接着することで、瞬間的に固定することができ、接着材４２が硬化乾燥するまでの間に可撓型シート状表装材１１を固定することができる。
【００４３】
このように壁面を仕上げることで、簡単に壁面側に接着材４２を塗ることができ、効率的に仕上げ作業を行うことが可能で、可撓型シート状表装材の貼り付け後の付着も十分なものである。
さらに、目地部材２１の長手方向の両側の粘着部２３が３〜１５ｍｍで間隔を設けたものを使用することにより、隣り合う可撓型シート状表装材間に３〜１５ｍｍの空間を設けることができ、その間隔が目地部材２１の露出部となり、目地として表現されたものとなり、壁面の仕上がりが優れたものとすることができる。
【００４４】
この目地部材２１が露出した目地にシーリング材を打設することも可能で、これにより、仕上げ後の壁面の防水性性能をより向上させることができる。
これに用いられるシーリング材は、公知のシーリング材が利用され、シリコーン系，変成シリコーン系，ポリサルファイド系，アクリルウレタン系，ウレタン系，アクリル系のものがある。これらの中でも、透湿性の観点からシリコーン系又は変成シリコーン系のものがよく，耐汚染性の観点から変成シリコーン系，ポリサルファイド系のシーリング材が適している。
【００４５】
シーリング材の硬さ，粘度は、建築用シーリング材として利用される範囲と同じで良く、ＪＩＳＡ５７５８建築用シーリング材の押出し性において基準のある２０秒以下にあれば問題なく使用できる。
この打設された目地の形状は、設けた空間全体に充填し、平らな状態にした平目地ややや丸みを持たせたふくりん目地とすることができる。この場合は、通常使用されるシーリングガンを用いて打設することが可能である。
【００４６】
また、可撓型シート状表装材１１と目地部材２１とにより形成された隅角部に、０．５ｍｍ〜３．０ｍｍ以下の可撓型シート状表装材１１の厚み以下で、ほぼ三角形の断面を有するように打設することが好ましく、それにより目地部材２１の露出部を有効に活用することができ、使用するシーリング材も少なくなる。
【００４７】
使用するシーリング材が少なくなることで、乾燥や硬化が早くなることもある。
また、シーリング材を可撓型シート状表装材１１の厚み以下で打設することで、可撓型シート状表装材１１にはみ出すシーリング材が無くなるため、可撓型シート状表装材１１の表面に養生をすることなく作業を行うことができるため、作業効率が向上する。
【００４８】
また、この場合では、ノズル径０．５〜３．０ｍｍにあるシーリング材注射器により、可撓型シート状表装材１１と目地部材２１により形成された隅角部に打設することになる。
これにより、略三角形状の断面を持った形で打設が可能である。ノズルの断面形状は、円形であってもシーリング材を押え付けるように塗り付けることにより、略三角形状の断面が得られる。また、ノズルの先端は注射針のように斜めに切断してあった方が、表面が盛り上ることのない、表面を平らにした状態で行えることになる。
【００４９】
このシーリング材の色調は、目地部材２１と同系色が好ましく、透明のものも使用されることがある。
同系色のものであることや透明のものであることにより、シーリング材と目地部材２１が一体となったように見え違和感のないものとなる。
同系色のものを使うことで、はみ出した粘着材２３を隠すこともできる。
【００５０】
さらに、可撓型シート状表装材１１裏面の四辺に粘着加工部１４が有り、離型紙１５により保護され、その離型紙１５を剥がしながらその表装材１１を貼り付けることが好ましい。このようにすることにより、その表装材１１端部の付着がより確実になる。
この粘着加工部１４は、目地部材２１の粘着部２３と同様なものを用いることができ、離型紙１５も目地部材２１の離型紙２４と同様なものを用いることができる。
【００５１】
また、両面テープも好ましく用いられ、  粘着加工部１４と離型紙１５が一体となったものを用いることができるため、その加工が簡単に行うことができる。又、一定幅で粘着材を塗布し、粘着加工部１４を形成させたのちに離型紙１５で、その粘着加工部を覆い保護することもできる。
この粘着加工部１４の幅は、目地部材２１の粘着部２３の幅に対応するものであり、使用する目地部材２１の粘着部２３に合わせたサイズのものを使用する。そのため、この幅は５〜３０ｍｍの範囲であることが好ましいものである。
【００５２】
上記実施形態によれば、以下の効果を得ることができる。
・  着色骨材含有塗材により形成された化粧材部を有する可撓型シート状表装材と、一定幅を持つ長尺の目地部材と、による壁面の表面仕上げ方法において、その目地部材の長手方向の両側に離型紙により覆われた粘着部を有するものであり、可撓型シート状表装材の端部が目地部材の中心付近になるように壁面に目地部材を貼付ける目地部材に囲まれた範囲に接着材を塗布する目地部材の離型紙を剥がしながら、可撓型シート状表装材を貼り付けることである。
【００５３】
これにより、簡単に壁面側に接着材を塗ることができ、効率的に仕上げ作業を行うことが可能で、可撓型シート状表装材の貼り付け後の付着も十分なものであり、仕上げられた壁面の意匠感も向上する。
【００５４】
・  可撓型シート状表装材が１２００×１２００ｍｍ以下で、好ましくは３００〜９００ｍｍの範囲の大きさで、ｍ２当たり１〜１０Ｋｇの範囲で、その厚みが２〜１５ｍｍの範囲であることにより、その取扱いや壁面への貼り付け作業性などの施工性や仕上がった壁面のボリューム感などの意匠性に優れ、ずれることなく接着することができるものである。
【００５５】
・  目地部材の長手方向の両側に離型紙により覆われた粘着部が３〜１５ｍｍの範囲で間隔を設け、隣り合う可撓型シート状表装材間に３〜１５ｍｍの範囲で空間を設け、目地部材を露出させることにより、簡単に一定の間隔を空けることができ、それにより仕上げられた壁面に、その間隔分の目地部材が露出したことになり、その露出部が目地としての意匠を表現し意匠的に優れたものになる。又、目地部材に機能を持たせ、その機能を露出部から発揮させることも可能である。
【００５６】
・  目地部材の厚みが１ｍｍ以下のものであり、好ましくは０．５ｍｍ以下であることにより、可撓型シート状表装材の厚みやその柔らかさなどの可撓性により段差を目立たなくすることができる。
【００５７】
・  目地部材の粘着部の幅が５〜３０ｍｍの範囲であることにより、可撓型シート状表装材の端部を十分に接着できるものである。
【００５８】
・  目地部材の粘着部と離型紙と一体となった両面テープを用いることにより、その加工において簡単になるものである。
【００５９】
・  前記露出部にシーリング材を打設することにより、仕上げ後の壁面の防水性性能をより向上させることができる。
【００６０】
・  可撓型シート状表装材と目地部材とにより形成された隅角部に、０．５ｍｍ〜３．０ｍｍ以下の可撓型シート状表装材１１の厚み以下で、ほぼ三角形の断面を有するようにシーリング材を打設することにより、目地部材の露出部を有効に活用することができ、使用するシーリング材も少なくなり、乾燥や硬化が早くなることもある。
【００６１】
また、シーリング材を可撓型シート状表装材の厚み以下で打設することで、可撓型シート状表装材にはみ出すシーリング材が無くなるため、可撓型シート状表装材の表面に養生をすることなく作業を行うことができるため、作業効率が向上する。
【００６２】
・  シーリング材の色調が目地部材の同系色であることにより、シーリング材と目地部材が一体となったように見え違和感のないものとなり、はみ出した粘着材を隠すこともできる。
【００６３】
・  可撓型シート状表装材裏面の四辺に粘着加工部が有り、離型紙により保護され、その離型紙を剥がしながらその表装材を貼り付けることにより、その表装材端部の付着がより確実になる。
さらに、接着材が硬化乾燥するまでの間に可撓型シート状表装材がよりずれることが無く、確実に接着することができる。
【００６４】
・  粘着加工部の幅が５〜３０ｍｍの範囲であることにより、可撓型シート状表装材の端部を十分に接着できるものである。
【００６５】
・  粘着加工部と離型紙とが一体となった両面テープを用いることにより、片側に粘着材を利用して、可撓型シート状表装材の裏面の基材部の四辺に貼ることで、加工が容易になる。
【符号の説明】
【００６６】
１１・・・可撓型シート状表装材
１２・・・化粧材部
１３・・・基材部
１４・・・粘着加工部
１５・・・離型紙
２１・・・目地部材
２２・・・ベース部
２３・・・粘着部
２４・・・離型紙
３１・・・空間
４１・・・壁面
４２・・・接着材
【図１】
2019060179.tif 000003
【図２】
2019060179.tif 000004
【図３】
2019060179.tif 000005
【図４】
2019060179.tif 000006